(57)【要約】【課題】プラスチックコンテナ等を安定して、運ぶことができ、軽く、非使用時もかさばらない搬送具と、該搬送具と同時に使用すると便利な搬送補助具を提案する。【解決手段】プラスチックコンテナ等に挟み込んで取り付け、具備する車輪を転がして搬送する搬送具とさらに安定度を増す搬送補助具であり、対向面を圧接固定したり、ストッパーを設けたりすることで搬送時のズレを防止し安定して搬送することができる。【選択図】図１０
2007022440.tif 000002
【特許請求の範囲】
【請求項１】
車輪を有しプラスチックコンテナを挟み込んで装着し搬送する搬送具
【請求項２】
搬送するプラスチックコンテナの底面に当接する底部板体と、該プラスチックコンテナの側面に当接する側部板体を含む、繋がった少なくとも３面以上の面で構成され、該側部板体と該底部板体は、両者のなす角が広がる方向に対して制限されて固定されていることを特徴とする請求項１記載の搬送具
【請求項３】
対向面が上広がりの側面を有するプラスチックコンテナに装着する搬送具で、搬送時上広がりの該側面に当接する一対の側部板体を有する請求項１〜２のいずれか記載の搬送具
【請求項４】
プラスチックコンテナ側面に当接する側部板体と、該プラスチックコンテナ底面に当接する底部板体で構成される略Ｌ字体を一対有し、該底部板体の端面同士が回動可能に繋がった構造を有する請求項１〜３のいずれか記載の搬送具
【請求項５】
３面の板体で略コ字体を構成する搬送具で、その両端の２面がプラスチックコンテナの対向する面に該搬送具の弾性力で圧接固定されて装着される請求項１〜４いずれか記載の搬送具
【請求項６】
略コ字体と略Ｌ字体のそれぞれの端面を略平行につなげた形状で、該略コ字体と該略Ｌ字体が有する面のうち対向する２面がプラスチックコンテナの対向する面に圧接固定されて装着される請求項１〜５いずれか記載の搬送具
【請求項７】
進行方向に対し左右側面に有するプラスチックコンテナの面のうち、進行方向前向きの面に係合し、搬送時のプラスチックコンテナとのズレを防止する進行方向ストッパーを有することを特徴とする請求項１〜６いずれか記載の搬送具
【請求項８】
プラスチックコンテナが有する面のうち、上向きの面に係合し、鉛直方向のズレを防止する鉛直方向ストッパーを有する請求項１〜７いずれか記載の搬送具
【請求項９】
搬送具の少なくとも１対の対向する面のなす角度、又は間隔、あるいは角度と間隔の両方が調節可能であることを特徴とする請求項１〜８いずれか記載の搬送具
【請求項１０】
プラスチックコンテナの一部を挟み込む固定部とその一端に繋がる把手部を有し、プラスチックコンテナを任意の高さで引くことができることを特徴とする搬送補助具
【請求項１１】
積層したプラスチックコンテナに対し、断面略コ字型で両端の内向き面がそれぞれ、上部プラスチックコンテナ上面、あるいは把手用開口下面と、下部プラスチックコンテナ底面あるいは把手用開口上面に接するように装着することで上下のプラスチックコンテナを固定する搬送補助具
【請求項１２】
請求項１〜９いずれか記載の搬送具において、プラスチックコンテナに代えて固体保持性を有し、上部開口を有する容器を搬送する搬送具。
【請求項１３】
請求項１〜９いずれか記載の搬送具において、プラスチックコンテナに代えて、支持枠を備えた機器を搬送する搬送具。
【発明の詳細な説明】
【技術分野】
【０００１】
本発明は、プラスチックコンテナや、プラスチックコンテナと同様の形状的特徴を有する物品等を簡単に固定して容易に搬送ができる搬送具と搬送補助具に関するものである。
【背景技術】
【０００２】
従来プラスチックコンテナを搬送するには平板にキャスターを４つ取り付けた平台車や、その３面ないし４面にはずれ止めのアタリを設けたものが一般に使用されている。
【０００３】
プラスチックコンテナ特有の形状に着目して提案されたものとしては特開平１０−１８１６０６や特開平１０−２５０５８３などプラスチックコンテナの把持部に引っ掛けてコンテナを運ぶコンテナ運搬車が提案されている。
【０００４】
さらに本発明にもっとも近い構造の発明品として、特開平０８−２９０７７３や特開平１０−２７８８０１などのＵ字型で底部と側部をささえ、搬送物のガタつき、バランスの崩れを防ごうとする搬送具が提案されている。
【０００５】
さらに古い特許文献の中には実開昭６３−１５３８２２などのカバンを対象とした、台車ごと着脱可能な搬送具がさまざまな形で提案されている。
【特許文献１】特開平１０−１８１６０６号公報
【特許文献２】特開平１０−２５０５８３号公報
【特許文献３】特開平０８−２９０７７３号公報
【特許文献４】特開平１０−２７８８０１号公報
【特許文献５】実開昭６３−１５３８２２号公報
【発明の開示】
【発明が解決しようとする課題】
【０００６】
前述した平台車、あたりつき平台車、特開平０８−２９０７７３や特開平１０−２７８８０１の搬送具は、段差などのたての動きで、台車とコンテナがズレてしまうという欠点を持つ。またアタリつき平台車はコンテナ全面を板で支える構造のため、コンテナ以上の幅、長さを有し、非使用時にはかさばるものである。同様に特開平１０−１８１６０６や特開平１０−２５０５８３のコンテナ運搬車も非使用時にはかさばるという欠点を持つ。さらにプラスチックコンテナにねじ止めでキャスターをつけた製品も見られるが、積層するために外したい時など取り外しが煩雑である。
実開昭６３−１５３８２２を代表とする、台車ごと着脱可能な搬送具の多くがカバンを対象として発明されたものであり、近年広く普及したプラスチックコンテナを想定して書かれたものは見当たらない。
【課題を解決するための手段】
【０００７】
請求項１記載の搬送具は、プラスチックコンテナがそれ自体十分な形状保持性を持つことに着目し、搬送するプラスチックコンテナをそれ以上の投影面積を持つフレーム上に載せるのではなく、プラスチックコンテナに装着し、プラスチックコンテナの一部分を持ってバランスをとりながら具備する車輪を転がして搬送することで搬送を容易にするものである。装着はプラスチックコンテナを該搬送具で挟み込むことでなす。以降は搬送するプラスチックコンテナと該搬送具がずれて外れてしまわないための手段を以下に示す。
【０００８】
請求項２記載の搬送具は搬送するプラスチックコンテナの底面に当接する底部板体と、該プラスチックコンテナの側面に当接する側部板体を含む、繋がった少なくとも３面以上の面で構成され、該側部板体と該底部板体は任意の角度以上に広がらないように固定されていて、搬送するプラスチックコンテナを挟んで装着し安定的にプラスチックコンテナを搬送することができる。
【０００９】
請求項３記載の搬送具によれば、プラスチックコンテナの荷重で搬送具側部板体とプラスチックコンテナ当接面との摩擦力が増大して、両者の位置ズレをなくすることで安定的にプラスチックコンテナを搬送することができる。
【００１０】
請求項４記載の搬送具によれば底部板体にプラスチックコンテナの荷重がかかると該底部板体と略Ｌ字体をなす側部板体が内側に傾倒して、プラスチックコンテナの側面に圧接固定され両者の位置ズレをなくすることで安定してプラスチックコンテナを搬送することができる。一対の底部板体は繋がっているので、一対の該Ｌ字体が離れる方向にずれてはずれることがない。
【００１１】
請求項５記載の搬送具によれば、搬送具側部でプラスチックコンテナ当接面を圧接して固定することにより、搬送具の弾性力で当接面の摩擦力が増大して、両者の位置ズレをなくすることで、安定してプラスチックコンテナを搬送することができる。
【００１２】
請求項６記載の搬送具によれば、略コ字型の中央面がプラスチックコンテナに係合することにより、ハズレを防ぎ、さらに、該搬送具が有する対向面でプラスチックコンテナを挟み込み、プラスチックコンテナ当接面との摩擦力を増大させることでズレを防いで安定して搬送することができる。
【００１３】
請求項７記載の搬送具によれば進行方向に対し左右側面に有するプラスチックコンテナの面のうち、進行方向前向きの面に係合する進行方向ストッパーを設けることによりプラスチックコンテナと搬送具のズレをなくし、さらに安定して搬送することができる。
【００１４】
さらに進行方向ストッパーが係合していれば側面の摩擦力がなくとも、搬送中にずれて外れることはない。
【００１５】
請求項８記載の搬送具によればプラスチックコンテナを持ち上げた際、鉛直方向ストッパーがプラスチックコンテナの上向き面に係合して搬送具がはずれることを防ぐことができ、さらに地面あるいは床等に下ろすと、持ち上げられるまえの状態に戻って搬送を続けることができる。さらに車輪に障害物が当たるなどといった大きな衝撃においても該搬送具のハズレを防ぐことができる。
【００１６】
請求項９記載の搬送具によれば該搬送具の少なくとも１対の対向する面のなす角度、又は間隔、あるいは角度・間隔両方が調節可能であることにより、プラスチックコンテナの大きさ、形状に対応して装着し搬送することができる。プラスチックコンテナの形に応じて対向する面の間隔を狭めに設定し、搬送具の弾性力を頼って、プラスチックコンテナを間に押し込むこともできるし、ゆるめで装着した後さらに押圧して間隔、あるいは角度を固定することで摩擦力が増大してより強固な装着となり安定して搬送することができる。
【００１７】
さらに該搬送具が鉛直方向ストッパーか進行方向ストッパーのいずれかを有する場合、対向面の角度あるいは間隔を狭めることで、該ストッパーを係合させうる状態にすることも可能である。
【００１８】
請求項１〜９記載の搬送具を用いてプラスチックコンテナを搬送する際、プラスチックコンテナの一部を持つため苦しい体制で搬送しなければならない場合、プラスチックコンテナの一部に挟み込む固定部とその一端に繋がる把手部を有する請求項１０の搬送具補助具を任意の高さで引くことで楽な姿勢で搬送することができる。
【００１９】
請求項１１記載の搬送補助具によればプラスチックコンテナを積層して運ぶ際、断面略コ字型で両端の内向き面がそれぞれ、上部プラスチックコンテナ上面、あるいは把手用開口下面と、下部プラスチックコンテナ底面あるいは把手用開口上面に接するように装着することで振動などによる上下のコンテナのガタツキを防ぎ、安定してプラスチックコンテナを運ぶことができる。
【００２０】
請求項１２記載の搬送補助具は、固体保持性を有し、上部開口を有するさまざまな容器に前述した手段を応用するものである。容器の素材としては木材、竹材、紙、金属など様々なものが考えられる。
【００２１】
請求項１３記載の搬送補助具は、容器でなくとも、支持枠を備えたエンジン、モーター、ポンプ、ホース、保管タイヤを含む様々な機器等の搬送に前述した手段を応用することで、これらを容易に搬送するものである。
【発明の効果】
【００２２】
請求項１から９のいずれかの搬送具によれば、プラスチックコンテナ底面全体を載せるようなフレームを用いる必要がないことで小さいもののすることが可能となり、非使用時にかさばらず、製造コストも安い。さらにプラスチックコンテナに搬送具が圧接して装着されているか、ズレ防止のストッパーがプラスチックコンテナに係合しているため搬送時の振動などで、プラスチックコンテナから搬送具が外れにくい。さらに挟み込むことで装着しているので装着することも、はずすことも容易である。
【００２３】
請求項７の搬送具の進行方向ストッパーは、コンテナ前面に略Ｌ字状にさし延ばした形でもよいがこの場合、嵩高いものになってしまう、プラスチックコンテナの側面に有する前向き面に係合するストッパーにすることで、該搬送具をコンパクトにすることができる。
【００２４】
請求項８の搬送具によれば本来はプラスチックコンテナを持ち上げることで外れる構造の搬送具を持ち上げても外れない搬送具とすることができる。搬送中に溝などで一時持ち上げて乗り越える作業に適している。さらに車輪に障害物が当たるなどといった大きな衝撃においても該搬送具のハズレを防ぐことができる。もちろんストッパーが掛かっているだけなのではずすことも容易である。
【００２５】
請求項１から５ならびに、７、９記載の搬送具の特徴の一例としては、持ち上げて容易に外れる構造にすることできることがあげられる。例えば、プラスチックコンテナを収穫用に用いる際、空のプラスチックコンテナに該搬送具を装着し、収穫物を集めながら搬送し、トラックの荷台に載せる時、該搬送具をはずして、プラスチックコンテナを積層していくといった作業がスムーズに行われるため利便性が高い。
【００２６】
たとえば請求項１〜９のいずれかの搬送具と請求項１０の搬送具を併用してプラスチックコンテナに装着することで、かさばらず、製作も容易なプラスチックコンテナ台車となる。さらに多くのプラスチックコンテナが上下で係合して安定的に積層できることを応用して、搬送具装着プラスチックコンテナを台車として使用して、その上に実際に運びたいプラスチックコンテナを積層して運ぶことにより、高い位置で楽な姿勢での作業が可能となる。さらに請求項１１の搬送補助具により、安定して複数のプラスチックコンテナを搬送することができる。
【００２７】
ここまで示した利便性は、プラスチックコンテナに限らず、請求項１２の搬送具によって、固体保持性を有し、上部開口を有する様々な容器の搬送に有効である。
【００２８】
さらにプラスチックコンテナ同様の形状ではなくとも、支持枠を備えた機器を搬送対象としても請求項１３の搬送具によって、同様の効果が得られる。
【発明を実施するための最良の形態】
【００２９】
まずは本発明の搬送対象となるプラスチックコンテナの本明細書での部位の呼び名について一般的なプラスチックコンテナの図１２を用いて説明する。矢印は進行方向を示し、プラスチックコンテナを直方体と考えた場合、搬送する状態での上の面を天板面、下の面を底面、残る４面のうち、進行方向側を前面、その対向面を後面、残る２面を左右側面と記述している。部位としては把手用開口Ｉ、鉛直方向に伸びた骨組みを縦桟Ｖ 、水平方向に伸びた骨組みを横桟Ｈと記述する。ストッパーが係合あるいは係合する対象として縦桟Ｖ、横桟Ｈ、把手用開口Ｉを代表させているが、他に把手用窪み、水きり穴、通気口、各々のプラスチックコンテナ独自の部位などが考えられる。ただし一般的には、強度が高い、内容物に触れる可能性が少ないなどの点から、縦桟Ｖ、横桟Ｈ、把手用開口Ｉが好適である。
【００３０】
本発明搬送具の一実施の形態を図１、図２に基づいて説明する。この形態での搬送対象は上広がりの側面を持つプラスチックコンテナＡを搬送する搬送具で、該搬送具は該側面に当接する側部板体５を有し、該搬送具にプラスチックコンテナＡの荷重がかかると、当接面の摩擦力が増大して、搬送具と搬送するプラスチックコンテナが圧接固定され、搬送者は搬送するプラスチックコンテナＡの他の一部を持って、該搬送具１が具備する車輪４を転がして搬送するものである。
【００３１】
本発明搬送具の他の一実施の形態を図３、図４に基づいて説明する。搬送対象であるプラスチックコンテナＡを搬送する搬送具で、プラスチックコンテナＡの側面に当接する側部板体５とプラスチックコンテナＡの底面に当接する底部板体６がなすＬ字体を１対有し、底部板体６同士がヒンジ機構７を介して回動可能に繋がっている。該搬送具１の底部板体６にプラスチックコンテナＡの荷重がかかると、側部板体５がプラスチックコンテナＡの側面を押して圧接固定され、搬送者は搬送するプラスチックコンテナＡの他の一部を持って、該搬送具１が具備する車輪４を転がして搬送するものである。図３の例では底部板体６は二つのヒンジ機構７を介して中間体１１で繋がっているが中間体１１と二つのヒンジ機構７に変えて、伸びないが形状の自由なもので紐状あるいは帯状のものであってもよい。また底部板体６同士がヒンジ機構７一つを介して直接繋がっていてもよい。
【００３２】
本発明搬送具の他の一実施の形態を図５に基づいて説明する。中央面が把持用開口部の下面に係合する略コ字体と、底部板体６がプラスチックコンテナ底部に当接する略Ｌ字体、略コ字体の端面が略Ｌ字体の側部板体５と平行になるように繋がっている。該搬送具を装着するときは略コ字体を把持用開口部Ｉの下部に係合させた後、略Ｌ字体の底部板体６をプラスチックコンテナ底部に滑り込ませてもよいし、図５に示すような長さ調整機構８がついている場合は略コ字体を把持用開口に挿入し、略Ｌ字体の底部板体６をプラスチックコンテナ底部に当接した後、押圧して略Ｌ字体の底部板体６と略コ字体の中央面の間隔を狭めて固定することで圧接固定することもできる。図１０は装着した図であるが、他の発明の形態と区別するため１ｂの符号を付してある。
【００３３】
図５は略コ字体が把持用開口に係合するものであるが、その上の天板面に係合するものでもよく、プラスチックコンテナが有するその他の上向き面に係合してもよい。
【００３４】
本発明搬送具の他の一実施の形態２例を図６、図7に基づいて対比的に説明する。両図の搬送具ともに、略コ字体の搬送具の側部板体に進行方向ストッパー９がついたものであり、進行方向ストッパー９は搬送するプラスチックコンテナＡを挿入しやすいように上広がりになっている。該搬送具を具備する車輪４を転がして搬送する際、図１０に示すように進行方向ストッパー９がプラスチックコンテナの縦桟Ｖに係合して搬送時のズレを防ぐものである。
【００３５】
プラスチックコンテナを持ち上げた際、図６の搬送具は外れやすいように下広がりの面を有し、プラスチックコンテナを持ち上げることで外れる構造となっており、図７の搬送具は横桟Ｈが係合して外れないような鉛直方向ストッパー１０を具備している。図６の搬送具は持ち上げると外れてほしい作業に適しており、図７の搬送具は持ち上げると外れてほしくない作業に適している。両者ともストッパーがプラスチックコンテナの側部に係合する構造であることにより、非使用時にかさばらず、搬送時はストッパーが係合して、安定した搬送を行うことができる。
【００３６】
本発明搬送具の他の一実施の形態を図８に基づいて説明する。搬送具は底部板体６にヒンジ機構７を介して回動可能に取り付けられた二枚の側部板体５を有し、この側部板体５と底部板体６の間には、長さ調整機構８を有し両端が回動可能に繋がれたリンクが掛けられている。長さ調整機構８によりリンクの長さを変えることで、側部板体５と底部板体６のなす角を変えることができる。角度を広がる方向に対して固定する方法としては、公知技術であるラチェットギアを用いることも可能である。
【００３７】
本発明搬送具の他の一実施の形態を図９に基づいて説明する。搬送具は底部板体６と側部板体５で構成される一対の略Ｌ字体が長さ調整機構８を介して略平行につながれており、全体として略コ字体を形成している。
【００３８】
図８、図９で示した搬送具は、プラスチックコンテナの形状に応じて、長さ調整機構８で長さを変えることにより様々な大きさや形のプラスチックコンテナを安定して搬送できる。プラスチックコンテナの形に応じて対向する面の間隔を狭めに設定し、搬送具の弾性力を頼って、プラスチックコンテナを間に押し込むこともできるし、対向面の間隔や角度を広めに設定しておいて、装着した後さらに押圧して間隔、あるいは角度を狭めて固定することで摩擦力が増大してより強固な装着となり安定して搬送することができる。
【００３９】
さらに図９のように該搬送具が進行方向ストッパーや鉛直方向ストッパーを有する場合、対向面の角度あるいは間隔を狭めることで、該ストッパーを係合させうる状態にすることも可能である。
【００４０】
図１０に基づいて、本発明の搬送補助具２の一実施の形態と本発明の他の搬送補助具３の実施の形態を説明する。搬送補助具２の固定部は略コ字体で、プラスチックコンテナの把持用開口Ｉに係合している。該固定部から把持部が伸びていて、搬送者は把持部を引っ張って搬送する。固定部と把持部とはヒンジ機構でつなげることが望ましく、それにより非使用時はかさばることがない。把持部は硬いものが望ましくそれにより引くだけでなく押して搬送することもできる。
【００４１】
さらに他の搬送補助具３は図１０に示すようにプラスチックコンテナを積層して運ぶ際、断面略コ字型で両端の内向き面がそれぞれ、上部プラスチックコンテナ上面、あるいは把手用開口下面と、下部プラスチックコンテナ底面あるいは把手用開口上面に接するように装着され振動などによる上下のコンテナのガタツキを防ぎ、安定してプラスチックコンテナを運ぶことができる。
【００４２】
本発明搬送具の他の一実施の形態を図１３に基づいて説明する。略コ字体の搬送具１が搬送対象である支持枠Ｐを備えたモーターＭに挟着されている。鉛直方向ストッパー１０が支持枠Ｐの上部パイプに係合し、進行方向ストッパー９がパイプ後部前側に係合している。搬送者は支持枠を持って、バランスをとりながら引っ張り、該搬送具が具備する車輪４を転がして搬送する。搬送具１が当接する場所は、枠のパイプ部下側、パイプ側部、内側で進行方向ストッパー９が係合する部分としては後部パイプ前部、あるいは装着部などが考えられるがこれは一例であり、支持枠はパイプ以外にも、アングル鉄骨、角柱を含む様々な形態が考えられる。
【００４３】
長さ調整機構の単純な構造の一例について図１４、図１５に基づいて説明する。長さを調整する２枚の板２１を断面が四角の筒状の枠２０に刺し入れ、枠に設けられた螺子穴に螺子２２をはめ込んで締めることにより、２枚の板２１を固定するものである。
【００４４】
長さ調整機構の他の一例で伸びるか、縮むかの一方向にのみ固定される長さ調整機構について図１６、図１７に基づいて説明する。
長さを調整する２枚の板２１を断面が四角の筒状の枠２０に刺し入れ、その間隔をカム機構２５によって調節されている。二枚の板２１の内側にはそれぞれ片流れ形状のラックギア２４が付いていて、カム機構２５の短軸で支えられている場合、ばねの力もあって片流れのラックギアが一方向に動かそうとするとかみ合って動かず、他の方向に動かそうとするとラックギアの作用でバネに逆らって、二枚の板２０の間隔が開き動かすことができる。ハンドル２０を回して二枚の板２０をカム機構２５の長軸で支えることにより、ラックギアが係合しないので自由に広げることも縮めることも出来る。この長さ調整機構は対向面の間隔や角度を広めに設定しておいて、装着した後さらに押圧して間隔、あるいは角度を固定する際に、押圧するだけで固定されるため使い勝手がよく、本発明の搬送具を外す時は、ハンドル２６を回すことで調節する二枚の板の長さが自由なり、容易に外せて便利である。
【００４５】
片流れの方向を上下とも逆にすれば、図８の長さ調整機構８にも応用できるような広がるが縮まらない長さ調整機構８となる。
【００４６】
本発明のどの搬送具においても、車輪は側部外側に回動可能についていてもよいし底部下側に回動可能についていてもよい。
【００４７】
本発明の搬送具とプラスチックコンテナの当接面にはゴム板などの滑り止めを設けることも、安定して搬送するために有効である。
【図面の簡単な説明】
【００４８】
【図１】本発明の実施の形態をしめす正面図である。
【図２】図１の側面図である。
【図３】本発明の他の実施の形態をしめす正面図である。
【図４】図３の側面図である。
【図５】本発明の他の実施の形態をしめす斜視図である。
【図６】本発明の他の実施の形態をしめす斜視図である。
【図７】本発明の他の実施の形態をしめす斜視図である。
【図８】本発明の他の実施の形態をしめす正面図である。
【図９】本発明の他の実施の形態をしめす斜視図である。
【図１０】本発明の搬送具の一実施の形態をしめすと本発明搬送具の他の一実施の形態をしめす搬送具と本発明の搬送補助具の一実施の形態をしめすと本発明搬送具の他の一実施の形態をしめす搬送補助具を搬送するプラスチックコンテナの積層体に装着した様子の斜視図である。
【図１１】図１の斜視図よりプラスチックコンテナを消した斜視図である。
【図１２】搬送対象となるプラスチックコンテナのうち一般的な一例の斜視図である。
【図１３】本発明の他の実施の形態をしめす斜視図である。
【図１４】長さ調整機構の一例をしめす斜視図である。
【図１５】図１５の断面図である。
【図１６】長さ調整機構の他の一例をしめす断面図である。
【図１７】図１６の分解斜視図である。
【符号の説明】
【００４９】
１    搬送具
１ａ  搬送具
１ｂ  搬送具
２    搬送補助具
３    他の搬送補助具
４    車輪
５    側部板体
６    底部板体
７    ヒンジ機構
８    長さ調整機構
９    進行方向ストッパー
１０  鉛直方向ストッパー
１１  中間体
２０  枠
２１  板体
２２  螺子
２３  板ばね
２４  片流れラックギア
２５  カム機構
２６  ハンドル
Ａ  プラスチックコンテナ
Ｉ  把持用開口
Ｖ  縦桟
Ｈ  横桟
Ｐ  機器支持枠
Ｍ  モーター
【図１】
2007022440.tif 000003
【図２】
2007022440.tif 000004
【図３】
2007022440.tif 000005
【図４】
2007022440.tif 000006
【図５】
2007022440.tif 000007
【図６】
2007022440.tif 000008
【図７】
2007022440.tif 000009
【図８】
2007022440.tif 000010
【図９】
2007022440.tif 000011
【図１０】
2007022440.tif 000012
【図１１】
2007022440.tif 000013
【図１２】
2007022440.tif 000014
【図１３】
2007022440.tif 000015
【図１４】
2007022440.tif 000016
【図１５】
2007022440.tif 000017
【図１６】
2007022440.tif 000018
【図１７】
2007022440.tif 000019